(57)【要約】【課題】  ＰＯＮ伝送通信での使用可能な帯域を制限する頻度を低減し、ＯＮＴ単体装置の収容の最適化を図るＰＯＮ伝送装置、ＰＯＮ伝送装置の接続切替方法及び接続切替プログラムを提供する。【解決手段】  統計情報収集部１７で監視した各通信状況（トラフィック情報）に基づいて各ＯＮＴ単体装置２７の接続の最適化を図るべく第１段光カプラ２１と複数の第２段光カプラ２５との間の光切替部２３の光接続経路の最適な接続関係を解析部２９で解析し、制御部３１で当該解析結果に基づいて光切替部２３の光接続経路の切替えを制御する。【選択図】  図３
2006262018.tif 000002
【特許請求の範囲】
【請求項１】
複数の光通信ユニットと、この光通信ユニットから分岐された複数の分岐路から成る伝送系と、この複数の伝送系に個別に装備された複数のＯＮＴ単体装置とを備え、このＯＮＴ単体装置と前記光通信ユニットとの間で前記分岐路を介してＰＯＮ通信を行う構成のＰＯＮ伝送装置において、
前記各光通信ユニットとこれに対応したＯＮＴ単体装置との間のトラフィック情報を常に監視する監視手段を設け、このトラフィック情報に基づいて作動し前記各光通信ユニットの接続を超えてトラフィックの少ない他の光通信ユニットのＯＮＴ単体装置を切替え接続し、これによって最適な回線接続を設定し得るようにしたＰＯＮ伝送装置。
【請求項２】
ネットワークとの通信を行うための複数の光通信ユニットと、
前記光通信ユニットからの光信号を分岐する複数の光カプラと、
光伝送路を介して、前記個々の光カプラが分枝する光信号の個別の入力、及び前記光カプラへの光信号の送出を行う複数の終端装置とを備えたＰＯＮ伝送装置において、
前記各終端装置の接続を切替えるべく前記複数の光カプラと前記複数の終端装置との間の光接続経路を任意に切替え得る光切替手段を備え、
前記各終端装置の通信状況を監視する監視手段を設けるとともに、
前記各通信状況の監視結果に基づいて前記終端装置の接続の最適化を図るべく前記光切替手段の前記光接続経路の最適な接続関係を解析する接続解析手段を装備し、
前記接続解析手段の解析結果に基づいて前記光切替手段の前記光接続経路の切替えを制御する制御手段を備えたことを特徴とするＰＯＮ伝送装置。  
【請求項３】
ネットワークとの通信を行うための複数の光通信ユニットと、
前記各光通信ユニットに対応して装備され当該各光通信ユニットからの光信号を分岐する複数の第１段光カプラと、
前記各第１段光カプラが分枝する光信号を分枝する複数の第２段光カプラとを備え、
光伝送経路を介して、前記各光通信ユニットとの間でＰＯＮ伝送通信を行う複数の終端装置とを備えたＰＯＮ伝送装置において、
前記各終端装置の接続を切替えるべく前記複数の第１段光カプラと前記複数の第２段光カプラとの間の光接続経路を任意に切替え得る光切替手段と、前記各終端装置の通信状況を監視する監視手段とを設け、
前記各通信状況の監視結果に基づいて前記終端装置の接続の最適化を図るべく前記光切替手段の前記光接続経路の最適な接続関係を解析する接続解析手段と、
前記接続解析手段の解析結果に基づいて前記光切替手段の前記光接続経路の切替えを制御する制御手段とを備えたことを特徴とするＰＯＮ伝送装置。
【請求項４】
前記光伝送経路に任意数の光カプラを含むことを特徴とする請求項２または３に記載のＰＯＮ伝送装置。
【請求項５】
前記監視手段は、前記各光通信ユニットに対し、その光通信の上位側又は下位側に備えることを特徴とする請求項１乃至４のいずれか一つに記載のＰＯＮ伝送装置。
【請求項６】
前記監視手段は、前記光切替手段と前記複数の第２段光カプラとの間に備えることを特徴とする請求項３又は４に記載のＰＯＮ伝送装置。
【請求項７】
前記監視手段は、前記各通信の統計情報である各々のトラフィック情報を収集する統計情報収集部で構成することを特徴とする請求項１乃至６のいずれか一つに記載のＰＯＮ伝送装置。
【請求項８】
前記接続解析手段は、前記監視手段が収集した前記各々のトラフィック情報に基づいて前記終端装置の接続の最適化を図るべく前記光切替手段の前記光接続経路の最適な接続関係を解析する解析部で構成することを特徴とする請求項２乃至７のいずれか一つに記載のＰＯＮ伝送装置。
【請求項９】
前記接続解析手段は、前記解析結果を保持し、前記光切替手段の前記光接続経路の接続切替えが必要な場合、当該接続のトラフィックが低いときに、前記解析結果を前記制御手段に送信することを特徴とする請求項２乃至８のいずれか一つに記載のＰＯＮ伝送装置。
【請求項１０】
前記複数の第２段光カプラのうち一部の光カプラと前記各終端装置のうち一部の終端装置との間に、双方の間の光接続経路を任意に切替え得る光切替手段を備え、
当該光切替手段は、前記制御手段の制御に基づいて前記光接続経路の接続関係を切替えることを特徴とする請求項３乃至９のいずれか一つに記載のＰＯＮ伝送装置。
【請求項１１】
前記制御手段は、前記光切替手段の接続関係を適切に切替えた場合、当該新たな接続関係でＰＯＮ通信を確立することを特徴とする請求項２乃至１０のいずれか一つに記載のＰＯＮ伝送装置。
【請求項１２】
終端装置の接続を切替えるべく、ネットワークとの通信を行うための複数の光通信ユニットからの複数の光信号を分岐する複数の第１段光カプラと、複数の終端装置を収容する複数の第２段光カプラとの間の光接続経路を任意に切替えるＰＯＮ伝送装置の接続切替方法であって、
前記各終端装置の通信状況を監視する監視工程と、
前記各通信状況の監視結果に基づいて前記複数の第１段光カプラと前記複数の第２段光カプラとの間の前記光接続経路の最適な接続関係を解析する接続解析工程と、
前記解析結果に基づいて前記複数の第１段光カプラと前記複数の第２段光カプラとの間の前記光接続経路の接続関係を切替える接続切替工程と、
を含むことを特徴とするＰＯＮ伝送装置の接続切替方法。  
【請求項１３】
前記監視工程は、前記各通信の統計情報である各々のトラフィック情報を収集するトラフィック情報収集工程を含むことを特徴とする請求項１２に記載のＰＯＮ伝送装置の接続切替方法。
【請求項１４】
前記接続解析工程は、前記解析結果を記憶する記憶工程と、前記光接続経路の切替えが必要な場合、当該接続のトラフィックが低いときに、前記接続切替工程を行わせることを特徴とする請求項１２または１３のいずれか一つに記載のＰＯＮ伝送装置の接続切替方法。
【請求項１５】
前記解析結果に基づいて前記複数の第２段光カプラのうち一部の光カプラと、前記各終端装置のうち一部の終端装置との光接続経路を切替える第２の接続切替工程を含むことを特徴とする請求項１２乃至１５のいずれか一つに記載のＰＯＮ伝送装置の接続切替方法。
【請求項１６】
前記接続切替工程、前記第２の接続切替工程の少なくともいずれか一つの工程で前記光接続経路を切替えた場合、当該新たな接続関係でＰＯＮ通信を確立するＰＯＮ通信確立工程を含むことを特徴とする請求項１２乃至１５のいずれか一つに記載のＰＯＮ伝送装置の接続切替方法。
【請求項１７】
ネットワークとの通信を行うための複数の光通信ユニットからの複数の光信号を分岐する複数の第１段光カプラと、複数の終端装置を収容する複数の第２段光カプラとの間の光接続経路を任意に切替えるＰＯＮ伝送装置の接続切替プログラムであって、
前記各終端装置の通信状況を監視するステップと、
前記各通信状況の監視結果に基づいて前記複数の第１段光カプラと前記複数の第２段光カプラとの間の前記光接続経路の最適な接続関係を解析するステップと、
前記解析結果に基づいて前記複数の第１段光カプラと前記複数の第２段光カプラとの間の前記光接続経路の接続関係を切替えるステップと、
をＣＰＵに実行させることを特徴とするＰＯＮ伝送装置の接続切替プログラム。  
【請求項１８】
前記各通信状況の監視に際し各通信の統計情報として各々のトラフィック情報を収集するステップを前記ＣＰＵに実行させることを特徴とする請求項１７に記載のＰＯＮ伝送装置の接続切替プログラム。
【請求項１９】
前記解析に際し前記解析結果を記憶するステップと、前記光信号の接続切替えが必要な場合、当該接続のトラフィックが低いときを判定するステップと、前記トラフィックの低いときを判定した場合に前記解析結果を認識するステップと、
を前記ＣＰＵに実行させることを特徴とする請求項１７または１８のいずれか一つに記載のＰＯＮ伝送装置の接続切替プログラム。
【請求項２０】
前記解析結果に基づいて前記複数の第２段光カプラのうち一部の光カプラと、前記各終端装置のうち一部の終端装置との光接続経路を切替えるステップを前記ＣＰＵに実行させることを特徴とする請求項１７乃至１９のいずれか一つに記載のＰＯＮ伝送装置の接続切替プログラム。
【請求項２１】
前記接続関係を適切に切替えた場合、当該新たな接続関係でＰＯＮ通信を確立するステップを前記ＣＰＵに実行させることを特徴とする請求項１７乃至２０のいずれか一つに記載のＰＯＮ伝送装置の接続切替プログラム。
【発明の詳細な説明】
【技術分野】
【０００１】
本発明は、光信号の情報を送受信するＰＯＮ伝送装置に係り、特に通信状況に応じてかつ適切なタイミングで第１、第２段光カプラの間の接続を切替えるＰＯＮ伝送装置、ＰＯＮ伝送装置の接続切替方法、及び、ＰＯＮ伝送装置の接続切替プログラムに関する。
【背景技術】
【０００２】
近年、既存の回線の有効活用とともに、ＰＤＳ（Passive
Double Star）技術を用いて、経済的に光加入者系アクセスネットワークを構成するＰＯＮ伝送装置が一般に普及し始めている。
【０００３】
ＰＯＮ伝送装置には、同期転送モード（ＳＴＭ）情報を扱うＳＴＭ−ＰＯＮ（Synchronous Transfer Mode Passive Optical Network）伝送装置と、非同期転送モード（ＡＴＭ）情報を扱うＡＴＭ−ＰＯＮ（Asynchronous
Transfer Mode Passive Optical Network）伝送装置の二通りがある。
【０００４】
一般的に、ＰＯＮ伝送装置は、図１１に示すように、光ネットワーク等の複数の上位回線１３と接続するＰＯＮ集合装置Ｐｄを備え、ＰＯＮ集合装置Ｐｄ内の個々の光通信ユニットとしてのＣＨユニット１５に対し光伝送路を介し複数の第１段光カプラ２１を接続し、各第１段光カプラ２１に対し光伝送路を介し複数の第２段光カプラ２５を接続し、更に、各第２段光カプラ２５に対し光伝送路を介し複数の終端装置としてのＯＮＴ単体装置    ２７を接続し収容している。
【０００５】
ＰＯＮ集合装置Ｐｄの複数のＣＨユニット１５は、上記回線１３側の図示しない複数の装置（例えばＯＮＴ単体装置）と、それぞれ第１段光カプラ２１、及び第２段光カプラ    ２５を介し複数のＯＮＴ単体装置２７との間で、ＡＴＭ情報等のＰＯＮ通信を行わせる機能を備えている。
【０００６】
一方、ＰＯＮ伝送装置に対応する他の従来の技術には、まず、一つに、センタ装置の複数のポートと１段目の光分枝素子の複数のポートとを接続して、光スイッチで双方の接続を選択するというものが知られている（例えば特許文献１参照。）。第２に、光信号の反射波を利用して物理的な１対ｎ接続の中から対向相手を特定し光通信を行うというものが知られている（例えば特許文献２参照。）。
【０００７】
【特許文献１】特開平８−２４２２０７号公報
【特許文献２】特開平１０−４１８９７号公報
【発明の開示】
【発明が解決しようとする課題】
【０００８】
しかしながら、図１１に示すＰＯＮ伝送装置においては、回線帯域を収容回線数で分配するため、それぞれのＯＮＴ単体装置２７には固定された最低保障帯域が設定されるが、各ＣＨユニット１５が収容する複数のＯＮＴ単体装置２７に対し同一時間帯に通信を行うと、1つのＯＮＴ単体装置２７における光通信は、使用可能な帯域が最低保障帯域まで制限されるという問題があった。また、ＣＨユニット１５へのＯＮＴ単体装置２７の設置や増設はパフォーマンス（帯域割り当て）に係らず無作為に行われるため、同一ＣＨユニット１５に収容されたユーザのＯＮＴ単体装置２７の多くが同一時間帯で一斉に光通信を実施した場合、１ユーザあたりのパフォーマンス（動的帯域割り当て）が低下するという問題があった。しかも、ＯＮＴ単体装置２７の収容を他のＣＨユニット１５に切り替える場合には、最適な切替先を容易に特定できないうえ、ＰＯＮ通信の再確立を含め手動で実施しなければならず、未経験者には容易に実施し得ないという問題があった。
【０００９】
一方、本発明者等は、一つの光伝送経路に通信が集中して増加することでパフォーマンス（動的帯域割り当て）が低下することを有効に回避し、常時効率的な通信を維持する方途を鋭意検討した結果、各光伝送路の通信量を解析して、分岐後の光接続経路を動的に効率よく切替えて分散するという技術的思想を創案するに至った。
【００１０】
特許文献１には、センタ装置の二つのポートと２×ｎ構成の光カプラとを接続して、１×２構成の光スイッチでその光カプラへの入力を選択し、光ネットワークの冗長構成を実現する旨の記載があり、特許文献２には、第２の光送受信装置が一部の分岐光信号を受信し、かつ他の分岐光信号を反射して変調光を含め第１の光送受信装置に戻すことで、通信容量に柔軟に対応する旨の記載がある。
【００１１】
しかし、双方の特許文献１，２の技術を組み合わせても、本発明者等が創案した各光伝送路の通信量を解析して、分岐後の光経路を動的に効率よく切替えて分散するという技術的思想を創到することは困難であった。
【００１２】
本発明は、上記従来技術の課題を解決し、通信の集中に伴い発生するＰＯＮ伝送通信での使用可能な帯域を制限する頻度を低減するとともに、終端装置を増設する場合においても終端装置の収容の最適化を容易に図り得るＰＯＮ伝送装置、ＰＯＮ伝送装置の接続切替方法、及び、ＰＯＮ伝送装置の接続切替プログラムを提供することを目的とする。
【課題を解決するための手段】
【００１３】
上記目的を達成するため、本発明では、複数の光通信ユニットと、この光通信ユニットから分岐された複数の分岐路から成る伝送系と、この複数の伝送系に個別に装備された複数のＯＮＴ単体装置とを備え、このＯＮＴ単体装置と前記光通信ユニットとの間で前記分岐路を介してＰＯＮ通信を行う構成のＰＯＮ伝送装置において、前記各光通信ユニットとこれに対応したＯＮＴ単体装置との間のトラフィック情報を常に監視する監視手段を設け、このトラフィック情報に基づいて作動し前記各光通信ユニットの接続を超えてトラフィックの少ない他の光通信ユニットのＯＮＴ単体装置を切替え接続し、これによって最適な回線接続を設定し得るようにしたことを特徴とする（請求項１）。
【００１４】
これにより、各ＯＮＴ単体装置のトラフィック情報を常に監視して、前記各光通信ユニット接続を超えてトラフィックの少ない他の光通信ユニットのＯＮＴ単体装置を切替え接続し、最適な回線接続を設定する。上記「接続を超えて」とは、通信ユニットに対するＯＮＴ単体装置の接続を、隣の光通信ユニットへの切替え接続を指向する場合も当然に含むが、当該隣の光通信ユニットを跨いで離れる他の光通信ユニットへの切替え接続を指向することが可能であることを示す。
【００１５】
又、本発明では、ネットワークとの通信を行うための複数の光通信ユニットと、前記光通信ユニットからの光信号を分岐する複数の光カプラと、光伝送路を介して、前記個々の光カプラが分枝する光信号の個別の入力、及び前記光カプラへの光信号の送出を行う複数の終端装置とを備えたＰＯＮ伝送装置において、前記各終端装置の接続を切替えるべく前記複数の光カプラと前記複数の終端装置との間の光接続経路（回線）を任意に切替え得る光切替手段を備え、前記各終端装置の通信状況を監視する監視手段を設けるとともに、前記各通信状況の監視結果に基づいて前記終端装置の接続の最適化を図るべく前記光切替手段の前記光接続経路（回線）の最適な接続関係を解析する接続解析手段を装備し、前記接続解析手段の解析結果に基づいて前記光切替手段の前記光接続経路の切替えを制御する制御手段を備えたことを特徴とする（請求項２）。
【００１６】
これにより、接続解析手段で前記監視手段が監視した前記各終端装置の通信状況を解析し、前記制御手段で前記解析結果に基づいて前記光切替手段の前記光接続経路を切替え、前記各終端装置の接続の最適化を図る。当該最適化を図る場合、一つには、解析結果に基づく各々のトラフィックの状態から該トラフィックの集中過多を低減すべく前記接続関係を適切に分散することで最適化を図るという態様がある。
【００１７】
又、本発明では、ネットワークとの通信を行うための複数の光通信ユニットと、前記各光通信ユニットに対応して装備され当該各光通信ユニットからの光信号を分岐する複数の第１段光カプラと、前記各第１段光カプラが分枝する光信号を分枝する複数の第２段光カプラとを備え、光伝送経路を介して、前記各光通信ユニットとの間でＰＯＮ伝送通信を行う複数の終端装置を備えたＰＯＮ伝送装置において、前記各終端装置の接続を切替えるべく前記複数の第１段光カプラと前記複数の第２段光カプラとの間の光接続経路（回線）を任意に切替え得る光切替手段と、前記各終端装置の通信状況を監視する監視手段とを設け、前記各通信状況の監視結果に基づいて前記終端装置の接続の最適化を図るべく前記光切替手段の前記光接続経路（回線）の最適な接続関係を解析する接続解析手段と、前記接続解析手段の解析結果に基づいて前記光切替手段の前記光接続経路の切替えを制御する制御手段とを備えたことを特徴とする（請求項３）。
【００１８】
これにより、前記接続解析手段で前記監視手段が監視した前記各終端装置の通信状況を解析し、前記制御手段で前記解析結果に基づいて前記光切替手段の前記光接続経路を切替え、前記各第１段光カプラと前記複数の第２段光カプラとの間の光接続経路を動的に切替えて前記各終端装置の接続の最適化を図る。
【００１９】
又、本発明では、前記光伝送経路に任意数の光カプラを含むことを特徴とする。これにより、より多段の光カプラを介して、より多くの前記終端装置の接続関係を最適化することが可能となる（請求項４）。
【００２０】
又、本発明では、前記監視手段を、前記各光通信ユニットに対し、その光通信の上位側又は下位側に備えることを特徴とする（請求項５）。
【００２１】
又、本発明では、前記監視手段を、前記光切替手段と前記複数の第２段光カプラとの間に備えることを特徴とする（請求項６）。
【００２２】
又、本発明では、前記監視手段を、前記各通信の統計情報である各々のトラフィック情報を収集する統計情報収集部で構成することを特徴とする（請求項７）。トラフィック情報を扱うことで前記接続解析手段の解析結果に信頼性が増す。
【００２３】
又、本発明では、前記接続解析手段を、前記監視手段が収集した前記各々のトラフィック情報に基づいて前記終端装置の接続の最適化を図るべく前記光切替手段の前記光接続経路の最適な接続関係を解析する解析部で構成することを特徴とする（請求項８）。
【００２４】
又、本発明では、前記接続解析手段は、前記解析結果を保持し、前記光切替手段の前記光接続経路の接続切替えが必要な場合、当該接続のトラフィックが低いときに、前記解析結果を前記制御手段に送信することを特徴とする（請求項９）。この場合、トラフィックが低いときのタイミングで前記光切替手段の前記光接続経路を切替えるため、通信異常や通信の混乱を回避することができる。
【００２５】
又、本発明では、前記複数の第２段光カプラのうち一部の光カプラと前記各終端装置のうち一部の終端装置との間に、双方の間の光接続経路（回線）を任意に切替え得る光切替手段を備え、当該光切替手段は、前記制御手段の制御に基づいて前記光接続経路の接続関係を切替えることを特徴とする（請求項１０）。この場合、より多くの前記終端装置の光接続経路の切替えをより仔細に管理することができる。
【００２６】
又、本発明では、前記制御手段は、前記光切替手段の接続関係を適切に切替えた場合、当該新たな接続関係でＰＯＮ通信を確立することを特徴とする（請求項１１）。
【００２７】
又、本発明では、終端装置の接続を切替えるべく、ネットワークとの通信を行うための複数の光通信ユニットからの複数の光信号を分岐する複数の第１段光カプラと、複数の終端装置を収容する複数の第２段光カプラとの間の光接続経路を任意に切替えるＰＯＮ伝送装置の接続切替方法であって、前記各終端装置の通信状況を監視する監視工程と、前記各通信状況の監視結果に基づいて前記複数の第１段光カプラと前記複数の第２段光カプラとの間の前記光接続経路の最適な接続関係を解析する接続解析工程と、前記解析結果に基づいて前記複数の第１段光カプラと前記複数の第２段光カプラとの間の前記光接続経路の接続関係を切替える接続切替工程とを含むことを特徴とする（請求項１２）。
【００２８】
これにより、前記接続解析工程で、前記監視工程で監視した前記各終端装置の通信状況を解析し、前記接続切替工程で前記解析結果に基づいて前記複数の第１段光カプラと前記複数の第２段光カプラとの間の前記光接続経路を最適な接続関係に切り替え、前記各第１段光カプラと前記複数の第２段光カプラとの間の前記光接続経路を動的に切替えて前記各終端装置の接続の最適化を図る。
【００２９】
又、本発明では、前記監視工程に、前記各通信の統計情報である各々のトラフィック情報を収集するトラフィック情報収集工程を含むことを特徴とする（請求項１３）。トラフィック情報を扱うことで前記接続解析手段の解析結果に信頼性が増す。
【００３０】
又、本発明では、前記接続解析工程は、前記解析結果を記憶する記憶工程と、前記光接続経路の切替えが必要な場合、当該接続のトラフィックが低いときに、前記接続切替工程を行わせることを特徴とする（請求項１４）。この場合も、切替え対象である終端装置のトラフィックが低いときのタイミングで前記光切替手段の前記光接続経路を切替えるため、通信異常や通信の混乱を回避することができる。
【００３１】
又、本発明では、前記解析結果に基づいて前記複数の第２段光カプラのうち一部の光カプラと、前記各終端装置のうち一部の終端装置との光接続経路を切替える第２の接続切替工程を含むことを特徴とする（請求項１５）。この場合も、より多くの前記終端装置の前記光接続経路の切替えをより多くより仔細に管理することができる。
【００３２】
又、本発明では、前記接続切替工程、前記第２の接続切替工程の少なくともいずれか一つの工程で前記光接続経路を切替えた場合、当該新たな接続関係でＰＯＮ通信を確立するＰＯＮ通信確立工程を含むことを特徴とする（請求項１６）。
【００３３】
又、本発明では、ネットワークとの通信を行うための複数の光通信ユニットからの複数の光信号を分岐する複数の第１段光カプラと、複数の終端装置を収容する複数の第２段光カプラとの間の光接続経路を任意に切替えるＰＯＮ伝送装置の接続切替プログラムであって、前記各終端装置の通信状況を監視するステップと、前記各通信状況の監視結果に基づいて前記複数の第１段光カプラと前記複数の第２段光カプラとの間の前記光接続経路の最適な接続関係を解析するステップと、前記解析結果に基づいて前記複数の第１段光カプラと前記複数の第２段光カプラとの間の前記光接続経路の接続関係を切替えるステップとをＣＰＵに実行させることを特徴とする（請求項１７）。
【００３４】
これにより、一つのステップで前記各終端装置の通信状況を監視し、次のステップで前記各通信状況の監視結果に基づいて前記複数の第１段光カプラと前記複数の第２段光カプラとの間の前記光接続経路の最適な接続関係を解析し、次のステップで前記解析結果に基づいて前記複数の第１段光カプラと前記複数の第２段光カプラとの間の前記光接続経路を最適な接続関係に切り替え、前記各第１段光カプラと前記複数の第２段光カプラとの間の前記光接続経路を動的に切替えて前記各終端装置の接続の最適化を図る。
【００３５】
又、本発明では、前記各通信状況の監視に際し各通信の統計情報として各々のトラフィック情報を収集するステップを前記ＣＰＵに実行させることを特徴とする（請求項１８）。
【００３６】
又、本発明では、前記解析に際し前記解析結果を記憶するステップと、前記光信号の接続切替えが必要な場合、当該接続のトラフィックが低いときを判定するステップと、前記トラフィックの低いときを判定した場合に前記解析結果を認識するステップとを前記ＣＰＵに実行させることを特徴とする（請求項１９）。
【００３７】
これにより、一つのステップで前記解析結果を記憶し、前記光信号の接続切替えが必要な場合、次のステップで当該接続のトラフィックが低いときを判定し、前記トラフィックの低いときを判定した場合に、次のステップで前記解析結果を認識する。
【００３８】
又、本発明では、前記解析結果に基づいて前記複数の第２段光カプラのうち一部の光カプラと、前記各終端装置のうち一部の終端装置との光接続経路を切替えるステップを前記ＣＰＵに実行させることを特徴とする（請求項２０）。この場合も、より多くの前記終端装置の前記光接続経路の切替えをより多くより仔細に管理することができる。
【００３９】
又、本発明では、前記接続関係を適切に切替えた場合、当該新たな接続関係でＰＯＮ通信を確立するステップを前記ＣＰＵに実行させることを特徴とする（請求項２１）。詳しい知識を有さずとも容易に前記終端装置の設置や増設を行うことができる。この場合も、より多くの前記終端装置の前記光接続経路の切替えをより多くより仔細に管理することができる。
【００４０】
本発明では、ＰＯＮ通信状況（トラフィック）を監視して解析し、複数のＯＮＴ単体装置を最適な収容状態に動的に切替えるので、各ＯＮＴ単体装置においてＰＯＮ伝送通信での使用可能な帯域を制限する頻度を低減することができる。各ＯＮＴ単体装置の収容を動的に変更できるので、パフォーマンス（動的帯域割り当て）の低下を考慮せずに、更には配線接続状況によらずとも、ＯＮＴ単体装置を設置したり増設したりすることも容易であり、その際にも各ＯＮＴ単体装置の収容状況の最適化を容易に実現することができる。また、単位時間あたりでのトラフィック情報を常に監視し蓄積しておくので、ネットワーク管理者が収容回線毎のパフォーマンス状況を把握することができ、ネットワークの増設可否を短時間に検討することも容易に可能となる。
【発明の効果】
【００４１】
本発明によれば、光通信ユニットに収容された終端装置（ＯＮＴ単体装置）の収容接続を、通信状況に応じて最適な収容状態に動的に切替えることで、通信の集中に伴い発生するＰＯＮ伝送通信での使用可能な帯域を制限する頻度を低減することができ、これにより終端装置を増設する場合においても終端装置の収容の最適化を容易に図ることができ、しかも収容接続を切替えた後、ユーザに負担なくＰＯＮ通信の再確立を実施することができる。
【発明を実施するための最良の形態】
【００４２】
以下、本発明の第１実施形態に係るＰＯＮ伝送装置について説明する。図１は第１実施形態に係るＰＯＮ伝送装置の構成を示すブロック図である。
【００４３】
図１において、ＰＯＮ伝送装置Ｐｓ１は、光ネットワーク等の複数の上位回線１３に監視手段（以下、統計情報収集部という）１７を設け、この統計情報収集部１７の下位側の光入出力ポートに対し該ポートに個別に接続される複数の光通信ユニット（以下、「ＣＨユニット」という）１５ａ，１５ｂ，１５ｃ，１５ｄを備えたＰＯＮ通信部１９を装備し、ＰＯＮ通信部１９内の個々のＣＨユニット１５ａ…に対し光伝送路を介して複数の光カプラ２１を備えている。このＰＯＮ伝送装置Ｐｓ１は、更に、各光カプラ２１に対し光伝送路を介して光切替手段（以下、「光切替部」という）２３を有し、光切替部２３の下位側の各光入出力ポートのうち所定の光入出力ポートに対し光伝送路を介して複数の終端装置（以下、「ＯＮＴ単体装置」という）２７を備えた構成となっている。ここで尚、光カプラ２１とＯＮＴ単体装置２７との間の光伝送路２２には、任意数の光カプラを介装してもよい。
【００４４】
また、統計情報収集部（監視手段）１７の統計情報（監視結果）の電気信号のデータ出力ポートには、接続解析手段（以下、「解析部」という）２９が接続されており、ＰＯＮ通信部１９には、解析部２９の解析結果の電気信号のデータを入力して光切替部２３内の光信号の入力に対する出力先の接続を切替える制御手段（以下、「制御部」という）３１が備えられている。
【００４５】
本例の場合、図１に示すように、４つのＣＨユニット１５ａ〜１５ｄに対して個々に光カプラ２１を備える。各光カプラ２１は光信号を８分岐する構成を備え、このため、各ＣＨユニット１５ａ等には、合計８台のＯＮＴ単体装置２７を収容することが可能である。但し、光伝送路２２に任意数の光カプラを介装する場合は、ＯＮＴ単体装置２７の収容数を更に増加することも可能である。
【００４６】
各ＣＨユニット１５ａ等は、上位回線１３を介する外部の終端装置（例えばＯＮＴ単体装置）と、図１に示すＯＮＴ単体装置２７との間の双方向光通信を行わせるものである。この各ＣＨユニット１５ａ等は、例えば、光ラインを終端し光―電気変換を行う光インタフェイスと、ライン側インタフェイスの電気（ＴＣ）を終端しＡＴＭセルパケットの送出制御や通信情報の管理を実施するＴＣレイヤ終端部と、ＡＴＭセル―Ｅｔｈｅｒパケット変換を行い、かつＥｔｈｅｒ側インタフェイスのデータリンク層（ＡＭＣ）動作を行うＡＴＭ―Ｅｔｈｅｒ変換部と、Ｅｔｈｅｒ側インタフェイスの物理層を終端するＥｔｈｅｒ―ＰＨＹ変換部とを備えた構成となっている。
【００４７】
統計情報収集部（監視手段）１７は、各ＣＨユニット１５ａ等を経由しての各上位回線１３側の外部の終端装置（例えばＯＮＴ単体装置）と図１に示す各ＯＮＴ単体装置２７との間の通信に際して、各ＯＮＴ単体装置２７毎の単位時間あたりの各々のトラフィック情報を収集して、その収集結果（監視結果）のデータを解析部２９に出力する。トラフィック情報収集に際する単位時間は任意に設定してよい。
【００４８】
光切替部２３は、各光カプラ２１に通じる上位側の各光入出力ポート（図４参照）３３と、各ＯＮＴ単体装置２７に通じる下位側の各光入出力ポート（図４参照）３５との間の光接続経路（回線）を制御部３１からの制御信号に応じて動的に切替える光スイッチとしての構成を備える。光スイッチには、電子型光スイッチ、全光型光スイッチ、ｎ×ｎ光マトリクススイッチ等を用いることが可能であるが、これに係らず光接続経路（回線）を切替える任意の光スイッチを用いてよい。
【００４９】
ＯＮＴ（Optical Network Terminal）単体装置２７は、例えばコンピュータ等で、ＰＯＮ通信に対応する構成を備えたメディアコンバータである。
【００５０】
一方、解析部２９は、第１には、統計情報収集部（監視手段）１７が収集した単位時間あたりの各々のトラフィック情報を取り込んで各ＯＮＴ単体装置２７の２４時間の通信状況を解析し、解析結果をメモリ（図示省略）等に保持する。第２には、各ＯＮＴ単体装置２７の２４時間の通信状況の解析結果からトラフィックの低いもしくはゼロである時間帯（タイミング）を検出して、そのタイミング時に制御部３１に解析結果のデータを送信する。
【００５１】
制御部３１は、例えばＣＰＵを備え、第１に、ＰＯＮ通信部１９の各ＣＨユニット１５ａ〜１５ｄそれぞれを制御し、各ＣＨユニット１５ａ等に収容する複数のＯＮＴ単体装置２７との通信を実現し、その際に必要な情報を管理する。第２に、解析部２９から上記タイミング時に送信された解析結果のデータを取り込んだ場合、光切替部２３の光接続経路（回線）の最適化を図るべく接続切替えの制御信号を光切替部２３に対し出力する。制御部３１が光切替部２３の光接続経路の最適化を図る場合、具体的には、１通信経路のトラフィックの集中過多を低減すべく光切替部２３の光入出力ポート３３と光入出力ポート３５の接続関係を適切に分散し制御する制御信号を生成して光切替部２３に出力する。これにより制御部３１は、各ＯＮＴ単体装置２７の最適な収容状態の組み合わせを特定して、光切替部２３を介し光カプラ２１と各ＯＮＴ単体装置２７の光接続経路を上記の最適な収容状態に動的に切替え、各ＯＮＴ単体装置２７においてＰＯＮ伝送通信での使用可能な帯域を制限する頻度を低減する。
【００５２】
また、制御部３１は、光接続経路（回線）の切替えを制御した場合、切替え後の光接続経路（回線）において実際に所定のデータ通信を実行しＰＯＮ通信の確立を行う。
【００５３】
次に、本実施形態のＰＯＮ伝送装置の接続切替方法の一例について説明する。例えばまず、監視工程で、各ＯＮＴ単体装置２７の各々の通信状況を監視するため、統計情報収集部１７によりその各々の単位時間あたりのトラフィック情報を収集する（トラフィック情報収集工程）。接続解析工程で、解析部２９により統計情報収集部１７が収集した各々の単位時間あたりのトラフィック情報に基づいて複数の光カプラ２１と複数のＯＮＴ単体装置２７との間の光信号の最適な接続関係、即ち、各ＣＨユニット１５ａ等を経由しての各上位回線１３側の外部の終端装置（例えばＯＮＴ単体装置）と各ＯＮＴ単体装置２７との最適な接続関係を解析する。換言すれば、解析部２９では指定した監視期間（単位時間）が経過する毎に、統計情報収集部１７が収集した単位時間毎のトラフィック情報から、最適なＯＮＴ単体装置２７の接続の組み合わせを特定する。
【００５４】
また、接続解析工程では、前記解析結果をメモリ等に記憶保持し（記憶工程）、光接続経路の切替えが必要な場合、その切替えのタイミングとして当該切替え前の光接続経路のトラフィックが低いとき、好ましくはトラフィックがゼロのときに、メモリ等に記憶保持した前記解析結果のデータを制御部３１に送信して切替え処理の実行を促す。
【００５５】
続いて、接続切替工程で、前記解析結果のデータを取り込んだ制御部３１から光切替部２３に対し前記解析結果に対応する光接続経路（回線）へと切替えることを指示する制御信号を出力する。
【００５６】
この結果、光切替部２３は、複数の光カプラ２１と複数のＯＮＴ単体装置２７の間の光信号の接続関係の最適化、即ち、各ＣＨユニット（ＣＨ１）１５ａ等を経由しての各上位回線１３側の外部の終端装置（例えばＯＮＴ単体装置）と図１に示すＯＮＴ単体装置２７との接続関係の最適化を図るべく、下位側のＯＮＴ単体装置２７に通じる光入出力ポート３５に対する上位側の光入出力ポートの接続をＣＨユニット（ＣＨ２）１５ｂ等に通じる光入出力ポート３３への接続へと切替える。
【００５７】
しかる後、制御部３１は、ＰＯＮ通信確立工程で、ＣＨユニット（ＣＨ２）１５ｂ等とＯＮＴ単体装置２７との間で所定のデータ通信を行って再接続制御を実施し、ＰＯＮ通信の確立を行う。
【００５８】
このように光切替部２３の光接続経路（回線）を動的に切替えることにより、一つのＯＮＴ単体装置２７の例えば昼間におけるパフォーマンス（動的帯域割り当て）が低下する状況を解消することができ、各ＯＮＴ単体装置２７で互いに共存できるＰＯＮ通信環境に最適化することができる。
【００５９】
次に、制御部（ＣＰＵ）３１が実行する本実施形態のＰＯＮ伝送装置の接続切替プログラムについて説明する。図２は本実施形態のＰＯＮ伝送装置の接続切替プログラムを示すフローチャートである。
【００６０】
まず、ステップ２０１において各終端装置としての各ＯＮＴ単体装置２７の通信状況を監視すべく統計情報収集部１７を起動させ、各ＯＮＴ単体装置２７のトラフィック情報を収集させる。ステップ２０２において前記各通信状況の監視結果、即ちトラフィック情報に基づいて解析部２９に複数の光カプラと各ＯＮＴ単体装置２７との間の光接続経路の最適な接続関係を解析させる。
【００６１】
ステップ２０３において解析部２９の解析に際し、所定の単位時間毎にその解析結果をメモリ等に記憶させ、かつステップ２０４において光接続経路の接続切替えが必要な場合は、当該接続のトラフィックが低いとき、好ましくはゼロのときを判定する。これを判定した場合は、ステップ２０５において前記解析結果を制御部（ＣＰＵ）３１に送信し制御部３１に解析結果を認識させる。
【００６２】
ステップ２０６において前記解析結果に基づいて複数の光カプラ２１と各ＯＮＴ単体装置２７との間の光接続経路の接続関係を最適化すべく、光切替部２３に制御信号を出力し光切替部２３の光接続経路を切替える。光切替部２３の光接続経路を切替える場合、制御部３１は前記解析結果に基づく各々のトラフィックの状態から該トラフィックの集中過多を低減すべく前記光接続経路の接続関係を適切に分散する接続関係に切替えさせる。そして、ステップ２０７において当該新たな接続関係で所定のデータの送受信を行いＰＯＮ通信を確立すると、ステップ２０１に戻る。
【００６３】
以上説明したように、本実施形態においては、ＰＯＮ通信状況（トラフィック）を監視して解析し、各ＯＮＴ単体装置２７を最適な収容状態に動的に切替えるので、各ＯＮＴ単体装置２７においてＰＯＮ伝送通信での使用可能な帯域を制限する頻度を低減することができる。各ＯＮＴ単体装置２７の収容を動的に変更できるので、パフォーマンス（動的帯域割り当て）の低下を考慮せずに、更には配線接続状況によらずとも、ＯＮＴ単体装置を設置したり増設したりすることも容易であり、その際にもＯＮＴ単体装置の収容状況の最適化を容易に実現することができる。また、単位時間あたりでのトラフィック情報を常に監視し蓄積しておくので、ネットワーク管理者が収容回線毎のパフォーマンス状況を把握することができ、ネットワークの増設可否を短時間に検討することも容易に可能となるという利点がある。
【００６４】
次に、本発明の第２実施形態に係るＰＯＮ伝送装置について説明する。図３は第２実施形態に係るＰＯＮ伝送装置の構成を示すブロック図である。
【００６５】
図３において、ＰＯＮ伝送装置Ｐｓ２は、光ネットワーク等の複数の上位回線１３に監視手段（以下、「統計情報収集部」という）１７を設け、この統計情報収集部１７の下位側の光入出力ポートに対し該ポートに個別に接続される複数の光通信ユニット（以下、「ＣＨユニット」という）１５ａ，１５ｂ，１５ｃ，１５ｄを備えたＰＯＮ通信部１９を装備し、ＰＯＮ通信部１９内の個々のＣＨユニット１５ａ…に対し光伝送路を介して複数の第１段光カプラ２１を備えている。このＰＯＮ伝送装置Ｐｓ２は、更に、各第１段光カプラ２１に対し光伝送路を介して光切替手段（以下、「光切替部」という）２３を有し、光切替部２３の下位側の各光入出力ポートのうち所定の光入出力ポートに対し光伝送路を介して複数の第２段光カプラ２５を有し、各第２段光カプラ２５に対し光伝送路を介して複数の終端装置（以下、「ＯＮＴ単体装置」という）２７を備えた構成となっている。
【００６６】
また、統計情報収集部（監視手段）１７の統計情報（監視結果）の電気信号のデータ出力ポートには、接続解析手段（以下、「解析部」という）２９が接続されており、ＰＯＮ通信部１９には、解析部２９の解析結果の電気信号のデータを入力して光切替部２３内の光信号の入力に対する出力先の接続を切替える制御手段（以下、「制御部」という）３１が備えられている。ここで尚、前記個々の第２段光カプラの下位側の光伝送路には、所定数の光カプラを介装してより多くの終端装置（ＯＮＴ単体装置）を収容するようにしてもよい。
【００６７】
本例の場合、図３に示すように、４つのＣＨユニット１５ａ〜１５ｄに対応し個々に第１段光カプラ２１を備える。各第１段光カプラ２１は光信号を８分岐する構成を備え、各第２段光カプラ２５は光信号を４分岐する構成を備える。このため、各ＣＨユニット１５ａ等には、合計３２台のＯＮＴ単体装置２７を収容することが可能である。各第２段光カプラ２５には、各々最大４台のＯＮＴ単体装置２７を収容することが可能であるが、本例では、各４台毎のＯＮＴ単体装置２７を一つにまとめ、順に管理単体Ａ群、管理単体Ｂ群、管理単体Ｃ群、管理単体Ｄ群と称する。
【００６８】
各ＣＨユニット１５ａ等の構成は、第１実施形態で説明した構成と同様であり、したがって詳しい説明は省略する。
【００６９】
統計情報収集部（監視手段）１７は、各ＣＨユニット１５ａ等を経由しての各上位回線１３側の外部の終端装置（例えばＯＮＴ単体装置）と図３に示す各ＯＮＴ単体装置２７との間の通信に際して、各管理単体Ａ群、Ｂ群、Ｃ群、Ｄ群毎の単位時間あたりの各々のトラフィック情報を収集して、その収集結果（監視結果）のデータを解析部２９に出力する。この場合のトラフィック情報収集に際する単位時間も任意に設定してよい。
【００７０】
光切替部２３は、各第１段光カプラ２１に通じる上位側の各光入出力ポート（図４参照）３３と、各第２段光カプラ２５に通じる下位側の各光入出力ポート（図４参照）３５との間の光接続経路（回線）を制御部３１からの制御信号に応じて動的に切替える光スイッチとしての構成を備える。この場合も光スイッチには、電子型光スイッチ、全光型光スイッチ、ｎ×ｎ光マトリクススイッチ等を用いることが可能であるが、これに係らず光接続経路（回線）を動的に切替える任意の光スイッチを用いてよい。
【００７１】
ＯＮＴ（Optical Network Terminal）単体装置２７は、例えばコンピュータ等で、ＰＯＮ通信に対応する構成を備えたメディアコンバータである。
【００７２】
一方、解析部２９は、第１には、統計情報収集部１７が収集した単位時間あたりの各々のトラフィック情報を取り込んで各ＯＮＴ単体装置２７の２４時間の通信状況を解析し、解析結果をメモリ等に保持する。第２には、各ＯＮＴ単体装置２７の２４時間の通信状況の解析結果からトラフィックの低いもしくはゼロである時間帯（タイミング）を検出して、そのタイミング時に制御部３１に解析結果のデータを送信する。
【００７３】
制御部３１は、例えばＣＰＵを備え、第１に、ＰＯＮ通信部１９の各ＣＨユニット１５それぞれ制御し、各ＣＨユニット１５ａ等に収容する複数のＯＮＴ単体装置２７との通信を実現し、その際に必要な情報を管理する。第２に、解析部２９から上記タイミング時に送信された解析結果のデータを取り込んだ場合、光切替部２３の光接続経路（回線）の最適化を図るべく接続切替えの制御信号を光切替部２３に対し出力する。制御部３１が光切替部２３の光接続経路の最適化を図る場合、具体的には、１通信経路のトラフィックの集中過多を低減すべく光切替部２３の上位側の光入出力ポート３３と下位側の光入出力ポート３５の接続関係を適切に分散し制御する制御信号を生成して光切替部２３に出力する。これにより制御部３１は、各ＯＮＴ単体装置２７または各管理単体Ａ群等の最適な収容状態の組み合わせを特定して、第１段カプラ２１と第２段カプラ２５の光接続経路を上記の最適な収容状態に動的に切替え、各ＯＮＴ単体装置２７においてＰＯＮ伝送通信での使用可能な帯域を制限する頻度を低減する。
【００７４】
また、制御部３１は、光接続経路（回線）の切替えを制御した場合、切替え後の光接続経路（回線）において実際に所定のデータ通信を実行しＰＯＮ通信の確立を行う。
【００７５】
次に、本実施形態のＰＯＮ伝送装置の接続切替方法の一例について説明する。図４は光切替部２３を中心に光接続経路（回線）を切替える場合の一具体例を説明する説明図である。
【００７６】
まず、図４に示すように、ＰＯＮ通信部１９のＣＨユニット（ＣＨ１）１５ａには、第１段光カプラ２１、光切替部２３、及び第２段光カプラ２５を介し分岐された管理単体Ａ群及び管理単体Ｂ群が収容されており、また、ＣＨユニット（ＣＨ３）１５ｃには、第１段光カプラ２１、光切替部１７、及び第２段光カプラ２５を介し分岐された管理単体Ｃ群及び管理単体Ｄ群が収容されているものとする。尚、ＣＨユニット（ＣＨ２）１５ｂ及びＣＨユニット（ＣＨ４）１５ｄには収容先が存在していないものとする。
【００７７】
ここで、管理単体Ｃ群をＣＨユニット（ＣＨ３）１５ｃの収容からＣＨユニット（ＣＨ２）１５ｂへの収容に切替える動作について説明する。まず、監視工程で、管理単体Ａ群、管理単体Ｂ群、管理単体Ｃ群、及び、管理単体Ｄ群の各々の通信状況を監視するため、統計情報収集部（監視手段）１７によりその各々の単位時間あたりのトラフィック情報を収集する（トラフィック情報収集工程）。接続解析工程で、解析部２９により統計情報収集部１７が収集した各々の単位時間あたりのトラフィック情報に基づいて複数の第１段光カプラ２１と複数の第２段光カプラ２５との間の光信号の最適な接続関係、即ち、各ＣＨユニット１５ａ等を経由しての各上位回線１３側の外部の終端装置（例えばＯＮＴ単体装置）と各管理単体Ａ群、Ｂ群、Ｃ群、Ｄ群との最適な接続関係を解析する。換言すれば、解析部２９では指定した監視期間（単位時間）が経過する毎に、統計情報収集部１７が収集した単位時間毎のトラフィック情報から、最適な管理単体群の組み合わせを特定する。
【００７８】
また、接続解析工程では、前記解析結果をメモリ等に記憶保持し（記憶工程）、光接続経路の切替えが必要な場合は、当該切替え前の光接続経路のトラフィックが低いとき、好ましくはトラフィックがゼロのときに、メモリ等に記憶保持した前記解析結果のデータを制御部３１に送信して切替え処理の実行を促す。
【００７９】
ところで、例えば、監視期間を経過したところで、ＣＨユニット（ＣＨ３）１５ｃに収容される管理単体Ｄ群は時間帯に係らず、常に大量のトラフィックが観測されたとする。一方、同一のＣＨユニット（ＣＨ３）１５ｃに収容される管理単体Ｃ群は毎日昼間の一定時間に大量のトラフィックの競合が観測され、著しいパフォーマンスの低下が発生したとする。
【００８０】
この場合、解析部２９は、上述の監視結果から、管理単体Ｃ群の光接続経路（回線）をその時点で未収容であるＣＨユニット（ＣＨ２）１５ｂに切り替えることを決定し、適当なタイミング、即ち、この場合は管理単体Ｃ群のデータ量の少ない夜間に、制御部３１に対しその決定内容を通知する。
【００８１】
続いて、接続切替工程で、前記解析結果のデータを取り込んだ制御部３１から光切替部２３に対し前記解析結果に対応する光接続経路（回線）へと切替えることを指示する制御信号を出力する。
【００８２】
この結果、光切替部２３は、複数の第１段光カプラ２１と複数の第２段光カプラ２５との間の光信号の接続関係の最適化、即ち、各ＣＨユニット（ＣＨ１）１５ａ等を経由しての各上位回線１３側の外部の終端装置（例えばＯＮＴ単体装置）と管理単体Ｃ群及び管理単体Ｄ群との接続関係の最適化を図るべく、下位側の管理単体Ｃ郡に通じる光入出力ポート３５に対する上位側の光入出力ポートの接続を、図示点線に示す接続、つまりＣＨユニット（ＣＨ３）１５ｃに通じる光入出力ポートとの接続から、図示実線に示す接続、つまりＣＨユニット（ＣＨ２）１５ｂに通じる光入出力ポート３３への接続へと切替える。
【００８３】
しかる後、制御部３１は、ＰＯＮ通信確立工程で、ＣＨユニット（ＣＨ２）１５ｂと管理単体Ｃ群との間で所定のデータ通信を行って再接続制御を実施し、ＰＯＮ通信の確立を行う。
【００８４】
このように光切替部２３の光接続経路（回線）を動的に切替えることにより、管理単体Ｃ群と管理単体Ｄ群の昼間における競合でパフォーマンス（動的帯域割り当て）が低下する状況を解消することができ、互いに共存できるＰＯＮ通信環境に最適化することができる。
【００８５】
次に、本実施形態のＰＯＮ伝送装置の接続切替方法の他の一例について説明する。図５は光切替部２３を中心に光接続経路（回線）を切替える場合の他の一具体例を説明する説明図である。
【００８６】
まず、図５に示すように、ＰＯＮ通信部１９のＣＨユニット（ＣＨ１）１５ａには、第１段光カプラ２１、光切替部２３、及び第２段光カプラ２５を介し分岐された管理単体Ａ群及び管理単体Ｂ群が収容されており、ＣＨユニット（ＣＨ２）１５ｂには、第１段光カプラ２１、光切替部１７、及び第２段光カプラ２５を介し分岐された管理単体Ｃ群が収容されており、また、ＣＨユニット（ＣＨ３）１５ｃには、第１段光カプラ２１、光切替部１７、及び第２段光カプラ２５を介し分岐された管理単体Ｄ群が収容されているものとする。尚、ＣＨユニット（ＣＨ４）１５ｄには収容先が存在していないものとする。
【００８７】
ここで、管理単体Ａ群をＣＨユニット（ＣＨ１）１５ａの収容からＣＨユニット（ＣＨ２）１５ｂに切替える動作について説明する。まず、監視工程で、管理単体Ａ群、管理単体Ｂ群、管理単体Ｃ群、及び、管理単体Ｄ群の各々の通信状況を監視するため、統計情報収集部１７によりその各々の単位時間あたりのトラフィック情報を収集する（トラフィック情報収集工程）。接続解析工程で、解析部２９により統計情報収集部１７が収集した各々の単位時間あたりのトラフィック情報に基づいて複数の第１段光カプラ２１と複数の第２段光カプラ２５との間の光信号の最適な接続関係、即ち、各ＣＨユニット１５ａ等を経由しての各上位回線１３側の外部の終端装置（例えばＯＮＴ単体装置）と各管理単体Ａ群、Ｂ群、Ｃ群、Ｄ群との最適な接続関係を解析する。換言すれば、解析部２９では指定した監視期間（単位時間）が経過する毎に、統計情報収集部１７が収集した単位時間毎のトラフィック情報から、最適な管理単体群の組み合わせを特定する。
【００８８】
また、接続解析工程では、前記解析結果をメモリ等に記憶保持し（記憶工程）、光接続経路の切替えが必要な場合は、当該切替え前の光接続経路のトラフィックが低いとき、好ましくはトラフィックがゼロのときに、メモリ等に記憶保持した前記解析結果のデータを制御部３１に送信して切替え処理の実行を促す。
【００８９】
ところで、例えば、監視期間を経過したところで、解析部２９では管理単体Ａ群と管理単体Ｂ群が、どちらも夜間に大量のトラフィックが競合することを観測したとする。解析部２９は管理単体Ｂ群を、夜間のトラフィックが比較的少ない管理単体Ｃ群と同一のＣＨユニット（ＣＨ２）１５ｂに収容することを決定し、昼間に制御部３１に通知する。
【００９０】
この場合、解析部２９は、上述の監視結果から、管理単体Ｂ群の光接続経路（回線）をその時点で未収容であるＣＨユニット（ＣＨ２）１５ｂに切り替えることを決定し、適当なタイミング、即ち、この場合は管理単体Ｃ群のデータ量の少ない昼間に、制御部３１に対しその決定内容を通知する。
【００９１】
続いて、接続切替工程で、前記解析結果のデータを取り込んだ制御部３１から光切替部２３に対し前記解析結果に対応する光接続経路（回線）へと切替えることを指示する制御信号を出力する。
【００９２】
この結果、光切替部２３は、複数の第１段光カプラ２１と複数の第２段光カプラ２５との間の光信号の接続関係の最適化、即ち、各ＣＨユニット（ＣＨ１）１５ａ等を経由しての各上位回線１３側の外部の終端装置（例えばＯＮＴ単体装置）と管理単体Ａ群及び管理単体Ｂ群との接続関係の最適化を図るべく、下位側の管理単体Ｂ郡に通じる光入出力ポート３５に対する上位側の光入出力ポートの接続を、図示点線に示す接続、つまりＣＨユニット（ＣＨ１）１５ａに通じる光入出力ポートとの接続から、図示実線に示す接続、つまりＣＨユニット（ＣＨ２）１５ｂに通じる光入出力ポート３３への接続へと切替える。
【００９３】
しかる後、制御部３１は、ＰＯＮ通信確立工程で、ＣＨユニット（ＣＨ２）と管理単体Ｃ群との間で所定のデータ通信を行って再接続制御を実施し、ＰＯＮ通信の確立を行う。
【００９４】
このように光切替部２３の光接続経路（回線）を動的に切替えることにより、管理単体Ａ群と管理単体Ｂ群の夜間における競合を解消することができ、管理単体Ｂ群と管理単体Ｃ群は互いに大きな影響を及ぼすことなく共存できるＰＯＮ通信環境に最適化することができる。
【００９５】
次に、制御部（ＣＰＵ）３１が実行する本実施形態のＰＯＮ伝送装置の接続切替プログラムについて説明する。図６は本実施形態のＰＯＮ伝送装置の接続切替プログラムを示すフローチャートである。
【００９６】
まず、上述の前者の例と同様に、ＰＯＮ通信部１９のＣＨユニット（ＣＨ１）１５ａには、第１段光カプラ２１、光切替部２３、及び第２段光カプラ２５を介し分岐された管理単体Ａ群及び管理単体Ｂ群が収容されており、また、ＣＨユニット（ＣＨ３）１５ｃには、第１段光カプラ２１、光切替部１７、及び第２段光カプラ２５を介し分岐された管理単体Ｃ群及び管理単体Ｄ群が収容されているものとする。尚、ＣＨユニット（ＣＨ２）１５ｂ及びＣＨユニット（ＣＨ４）１５ｄには収容先が存在していないものとする。
【００９７】
ここで、管理単体Ｃ群をＣＨユニット（ＣＨ３）１５ｃの収容からＣＨユニット（ＣＨ２）１５ｂへの収容に切替える動作について説明する。まず、ステップ６０１において管理単体Ａ群、管理単体Ｂ群、管理単体Ｃ群、及び、管理単体Ｄ群の各々の通信状況を監視するため、統計情報収集部１７に、その各々の単位時間あたりのトラフィック情報を収集させる。ステップ６０２において解析部２９により統計情報収集部１７が収集した各々の単位時間あたりのトラフィック情報に基づいて複数の第１段光カプラ２１と複数の第２段光カプラ２５との間の光接続経路の最適な接続関係、即ち、各ＣＨユニット１５ａ等を経由しての各上位回線１３側の外部の終端装置（例えばＯＮＴ単体装置）と各管理単体Ａ群、Ｂ群、Ｃ群、Ｄ群との最適な接続関係を解析する。換言すれば、解析部２９では指定した監視期間（単位時間）が経過する毎に、統計情報収集部１７が収集した単位時間毎のトラフィック情報から、最適な管理単体群の組み合わせを特定する。
【００９８】
続いて、ステップ６０３において前記解析結果をメモリ等に記憶保持させ、かつステップ６０４において光接続経路の切替えが必要な場合は、当該切替え前の光接続経路のトラフィックが低いとき、好ましくはトラフィックがゼロのときを判定し、この判定時に、ステップ６０５においてメモリ等に記憶保持した前記解析結果のデータを制御部３１に送信して切替え処理の実行を促す。
【００９９】
尚、例えば、解析部２９は、ＣＨユニット（ＣＨ３）１５ｃに収容される管理単体Ｄ群は時間帯に係らず、常に大量のトラフィックを観測し、一方、同一のＣＨユニット（ＣＨ３）１５ｃに収容される管理単体Ｃ群は毎日昼間の一定時間に大量のトラフィックの競合を観測し著しいパフォーマンスの低下を解析したとする。
【０１００】
この場合、解析部２９は、上述の監視結果から、管理単体Ｃ群の光接続経路（回線）をその時点で未収容であるＣＨユニット（ＣＨ２）１５ｂに切り替えることを決定し、適当なタイミング、即ち、この場合は管理単体Ｃ群のデータ量の少ない夜間に、制御部３１に対しその決定内容を通知する。
【０１０１】
続いて、ステップ６０６において前記解析結果のデータを取り込んだ制御部３１から光切替部２３に対し前記解析結果に対応する光接続経路（回線）へと切替えることを指示する制御信号を出力する。
【０１０２】
この結果、光切替部２３は、複数の第１段光カプラ２１と複数の第２段光カプラ２５との間の光信号の接続関係の最適化、即ち、各ＣＨユニット（ＣＨ１）１５ａ等を経由しての各上位回線１３側の外部の終端装置（例えばＯＮＴ単体装置）と管理単体Ｃ群及び管理単体Ｄ群との接続関係の最適化を図るべく、下位側の管理単体Ｃ郡に通じる光入出力ポート３５に対する上位側の光入出力ポートの接続を、図示点線に示す接続、つまりＣＨユニット（ＣＨ３）１５ｃに通じる光入出力ポートとの接続から、図示実線に示す接続、つまりＣＨユニット（ＣＨ２）１５ｂに通じる光入出力ポート３３への接続へと切替える。
【０１０３】
しかる後、制御部３１は、ステップ６０７においてＣＨユニット（ＣＨ２）１５ｂと管理単体Ｃ群との間で所定のデータ通信を行って再接続制御を実施し、ＰＯＮ通信の確立を行うと、ステップ６０１に戻る。
【０１０４】
このように光切替部２３の光接続経路（回線）を動的に切替えることにより、管理単体Ｃ群と管理単体Ｄ群の昼間における競合でパフォーマンス（動的帯域割り当て）が低下する状況を解消することができ、互いに共存できるＰＯＮ通信環境に最適化することができる。
【０１０５】
以上説明したように、本実施形態においては、ＰＯＮ通信状況（トラフィック）を監視して解析し、複数のＯＮＴ単体装置２７を含む管理単体Ａ群、Ｂ群、Ｃ群、Ｄ群を最適な収容状態に動的に切替えるので、各管理単体Ａ群、Ｂ群、Ｃ群、Ｄ群においてＰＯＮ伝送通信での使用可能な帯域を制限する頻度を低減することができる。各管理単体Ａ群、Ｂ群、Ｃ群、Ｄ群の収容を動的に変更できるので、パフォーマンス（動的帯域割り当て）の低下を考慮せずに、更には配線接続状況によらずとも、管理単体群（ＯＮＴ単体装置）を設置したり増設したりすることも容易であり、その際にも管理単体Ａ群、Ｂ群、Ｃ群、Ｄ群（ＯＮＴ単体装置）の収容状況の最適化を容易に実現することができる。また、単位時間あたりでのトラフィック情報を常に監視し蓄積しておくので、ネットワーク管理者が収容回線毎のパフォーマンス状況を把握することができ、ネットワークの増設可否を短時間に検討することも容易に可能となるという利点がある。
【０１０６】
次に、本発明の第３実施形態に係るＰＯＮ伝送装置について説明する。図７は第３実施形態に係るＰＯＮ伝送装置の構成を示すブロック図である。尚、図７において第２実施形態に示す部分と同一部分には同一符号を付して詳しい説明は省略する。
【０１０７】
図７において、ＰＯＮ伝送装置Ｐｓ３は、第２段光カプラ２５のうち所定の第２段光カプラ２５ａ，２５ｂと、複数のＯＮＴ単体装置２７のうち所定のＯＮＴ単体装置（以下、「個別管理単体」という）２７ａ，２７ｂ，２７ｃ，２７ｄとの間に、双方の間の光接続経路を動的に任意に切替え得る光切替部４３を介装している点が第２実施形態の場合と相違する。
【０１０８】
光切替部４３は、光切替部２３と同様に光スイッチの構成からなるが、光切替部２３よりも光接続経路数（回線数）が少なく構成されている点が相違する。
【０１０９】
本実施形態の場合、光切替部４３を設けて光接続経路の切替えを実施する管理単体群即ち個別管理単体（ＯＮＴ単体装置）の管理単位をさらに細かくすることで、より効果的な個別管理単体（ＯＮＴ単体装置）２７ａ，２７ｂ，２７ｃ，２７ｄの収容の組合せを実現をすることが可能である。
【０１１０】
統計情報収集部（監視手段）１７では管理単体Ａ群、Ｂ群における単位時間毎のトラフィック情報を収集するとともに、個別管理単体２７ａ，２７ｂ，２７ｃ，２７ｄのトラフィック情報をも監視して収集する。解析部２９では統計情報収集部１７が収集した各トラフィック情報から、最適な管理単体Ａ群、Ｂ群の組合わせを特定するとともに、更に、個別管理単体２７ａ，２７ｂ，２７ｃ，２７ｄの組合わせの最適化をも特定する。制御部３１は、解析部２９からの解析結果の通知をもとに、各個別管理単体２７ａ、２７ｂ、２７ｃ、２７ｄの切替えの必要性をも判断し、光切替部２３の光接続経路の切替えに加え、光切替部４３に対しても光接続経路の切替え実行の指示（制御信号の出力）を行う。
【０１１１】
まず、図８に示すように、個別管理単体（ＯＮＴ単体装置）２７ａは光切替部４３内の点線に示す光接続経路４３ａを介して第２段光カプラ２５ａに接続されており、個別管理単体２７ｂ、２７ｃ、２７ｄは光切替部４３内の光接続経路４３ｃ、４３ｄ、４３ｅを介して各々第２段光カプラ２５ｂに接続されている場合を例示する。
【０１１２】
まず、監視工程で、管理単体Ａ群、管理単体Ｂ群、個別管理単体２７ａ，２７ｂ，２７ｃ，２７ｄの各々の通信状況を監視するため、統計情報収集部１７によりその各々の単位時間あたりのトラフィック情報を収集する（トラフィック情報収集工程）。接続解析工程で、解析部２９により統計情報収集部１７が収集した各々の単位時間あたりのトラフィック情報に基づいて管理単体Ａ群、管理単体Ｂ群、個別管理単体２７ａ，２７ｂ，２７ｃ，２７ｄの最適な接続関係、即ち、複数の第１段光カプラ２１と複数の第２段光カプラ２５，２５ａ、２５ｂとの間の最適な接続関係、及び第２段光カプラ２５ａ，２５ｂと個別管理単体２７ａ，２７ｂ，２７ｃとの最適な接続関係を解析する。
【０１１３】
また、接続解析工程では、前記解析結果をメモリ等に記憶保持し（記憶工程）、光接続経路の切替えが必要な場合は、当該切替え前の光接続経路のトラフィックが低いとき、好ましくはトラフィックがゼロのときに、メモリ等に記憶保持した前記解析結果のデータを制御部３１に送信して切替え処理の実行を促す。
【０１１４】
今、例えば、個別管理単体２７ｂ、２７ｃ、２７ｄのそれぞれのトラフィックの競合が観測され、各々著しいパフォーマンス（動的帯域割り当て）の低下が発生したとする。この場合、接続解析工程では、解析部５で、例えば個別管理単体２７ｂを比較的トラフィックの少ない第２段光カプラ２５ｂを介して個別管理単体２７ａと同一のＣＨユニット（ＣＨ３）１５ｃに収容することを決定しメモリ等に保持する。このため、今回の例の場合、上記第２実施形態で示す接続切替工程は不要であり、後述する第２の接続切替工程を行うことになる。
【０１１５】
続いて、第２の接続切替工程で、前記解析結果のデータを取り込んだ制御部３１から光切替部４３に対し前記解析結果に対応する光接続経路（回線）へと切替えることを指示する制御信号を出力する。この結果、光切替部４３は、個別管理単体２７ｂの光接続経路を光接続経路４３ｃから光接続経路４３ｂに切替え、この切替えによりＣＨユニット（ＣＨ３）１５ｃに対し個別管理単体２７ｂを収容させる。即ち、第２の接続切替工程では、前記解析結果に基づく各々のトラフィックの状態から該トラフィックの集中過多を低減すべく個別管理単体２７ｂ、２７ｃ、２７ｄの接続関係を適切に分散する。
【０１１６】
しかる後、制御部３１は、ＰＯＮ通信確立工程で、ＣＨユニット（ＣＨ２）と個別管理単体２７ｂとの間で所定のデータ通信を行って再接続制御を実施し、ＰＯＮ通信の確立を行う。
【０１１７】
このように光切替部４３の光接続経路（回線）を動的に切替えることにより、個別管理単体２７ｂ、２７ｃ、２７ｄの競合を解消することができ、個別管理単体２７ｂ、２７ｃ、２７ｄは互いに大きな影響を及ぼすことなく共存できるＰＯＮ通信環境に最適化することができる。
【０１１８】
次に、制御部（ＣＰＵ）３１が実行する本実施形態のＰＯＮ伝送装置の接続切替プログラムについて説明する。図９は本実施形態のＰＯＮ伝送装置の接続切替プログラムを示すフローチャートである。
【０１１９】
この場合も、図８に示すように、個別管理単体２７ａは光切替部４３内の光接続経路４３ａを介して第２段光カプラ２５ａに接続されており、個別管理単体２７ｂ、２７ｃ、２７ｄは光切替部４３内の光接続経路４３ｃ、４３ｄ、４３ｅを介して各々第２段光カプラ２５ｂに接続されている場合を例示する。
【０１２０】
まず、ステップ９０１において管理単体Ａ群、管理単体Ｂ群、個別管理単体（ＯＮＴ単体装置）２７ａ，２７ｂ，２７ｃ，２７ｄの各々の通信状況を監視するため、統計情報収集部１７によりその各々の単位時間あたりのトラフィック情報を収集する。ステップ９０２において解析部２９により統計情報収集部１７が収集した各々の単位時間あたりのトラフィック情報に基づいて管理単体Ａ群、管理単体Ｂ群、個別管理単体２７ａ，２７ｂ，２７ｃ，２７ｄの最適な接続関係、即ち、複数の第１段光カプラ２１と複数の第２段光カプラ２５，２５ａ、２５ｂとの間の最適な接続関係、及び第２段光カプラ２５ａ，２５ｂと個別管理単体２７ａ，２７ｂ，２７ｃとの最適な接続関係を解析する。
【０１２１】
今、例えば、個別管理単体（ＯＮＴ単体装置）２７ｂ、２７ｃ、２７ｄのそれぞれのトラフィックの競合が観測され、各々著しいパフォーマンス（動的帯域割り当て）の低下が発生したとする。この場合、上記ステップ９０２では、解析部５で、解析の結果として、例えば個別管理単体２７ｂを比較的トラフィックの少ない第２段光カプラ２５ｂを介して個別管理単体２７ａと同一のＣＨユニット（ＣＨ３）１５ｃに収容することを決定し、かつステップ９０３において解析結果をメモリ等に保持する。
【０１２２】
ステップ９０４において当該切替え前の光接続経路のトラフィックが低いとき、好ましくはトラフィックがゼロのときを判定し、かつステップ９０５においてメモリ等に記憶保持した前記解析結果のデータを制御部３１に送信して切替え処理の実行を促す。
【０１２３】
続いて、ステップ９０６において前記解析結果のデータを取り込んだ制御部３１から光切替部４３に対し前記解析結果に対応する光接続経路（回線）へと切替えることを指示する制御信号を出力する。この結果、光切替部４３は、個別管理単体（ＯＮＴ単体装置）２７ｂの光接続経路を光接続経路４３ｃから光接続経路４３ｂに切替え、この切替えによりＣＨユニット（ＣＨ３）１５ｃに対し個別管理単体２７ｂを収容させる。即ち、ステップ９０６においては前記解析結果に基づく各々のトラフィックの状態から該トラフィックの集中過多を低減すべく個別管理単体２７ｂ、２７ｃ、２７ｄの接続関係を適切に分散する処理を行う。
【０１２４】
しかる後、ステップ９０７においてＣＨユニット（ＣＨ３）１５ｃと個別管理単体（ＯＮＴ単体装置）２７ｂとの間で所定のデータ通信を行わせて再接続制御を実施して、ＰＯＮ通信の確立を行うと、ステップ９０１へ戻る。
【０１２５】
このように光切替部４３の光接続経路（回線）を動的に切替えることにより、個別管理単体２７ｂ、２７ｃ、２７ｄの競合を解消することができ、個別管理単体２７ｂ、２７ｃ、２７ｄは互いに大きな影響を及ぼすことなく共存できるＰＯＮ通信環境に最適化することができる。
【０１２６】
以上説明したように、本実施形態においては、ＰＯＮ通信状況（トラフィック）を監視して解析し、管理単体Ａ群、Ｂ群、及び個別管理単体２７ａ，２７ｂ，２７ｃ，２７ｄを最適な収容状態に動的に切替えるので、各管理単体Ａ群、Ｂ群、及び個別管理単体２７ａ，２７ｂ，２７ｃ，２７ｄにおいてＰＯＮ伝送通信での使用可能な帯域を制限する頻度を低減することができる。各管理単体Ａ群、Ｂ群、及び個別管理単体２７ａ，２７ｂ，２７ｃ，２７ｄの収容を動的に変更できるので、パフォーマンス（動的帯域割り当て）の低下を考慮せずに、更には配線接続状況によらずとも、特に個別管理単体２７ａ，２７ｂ，２７ｃ，２７ｄを設置したり増設したりすることも容易であり、その際にも個別管理単体２７ａ，２７ｂ，２７ｃ，２７ｄの収容状況の最適化を容易に実現することができる。
【０１２７】
次に、本発明の第４実施形態に係るＰＯＮ伝送装置について説明する。図１０は第４実施形態に係るＰＯＮ伝送装置の構成を示すブロック図である。尚、図１０において第２実施形態に示す部分と同一部分には同一符号を付して詳しい説明は省略する。
【０１２８】
図１０において、ＰＯＮ伝送装置Ｐｓ４は、統計情報収集部（監視手段）１７を、光切替部２３と第２段光カプラ２５との間の光伝送路に設置した点が第２実施形態の場合と相違する。
【０１２９】
また、統計情報収集部１７の構成は第２実施形態の場合の構成と全く同様であり、かつ本実施形態に係るＰＯＮ伝送装置の接続切替方法、及び接続切替プログラムについても第２実施形態の場合と同様である。
【図面の簡単な説明】
【０１３０】
尚、光カプラについては、２段の場合を例示したが、１段であっても、あるいは３段以上の多段であってもよい。
【図１】本発明の第１実施形態に係るＰＯＮ伝送装置の構成を示すブロック図である。
【図２】第１実施形態に係るＰＯＮ伝送装置の接続切替プログラムを示すフローチャートである。
【図３】第２実施形態に係るＰＯＮ伝送装置の構成を示すブロック図である。
【図４】第２実施形態に係るＰＯＮ伝送装置の光切替部の光接続経路の切替え例を説明する説明図である。
【図５】第２実施形態に係るＰＯＮ伝送装置の光切替部の光接続経路の他の切替え例を説明する説明図である。
【図６】第２実施形態に係るＰＯＮ伝送装置の接続切替プログラムを示すブロック図である。
【図７】第３実施形態に係るＰＯＮ伝送装置の構成を示すブロック図である。
【図８】第３実施形態に係るＰＯＮ伝送装置の光切替部の光接続経路の切替え例を説明する説明図である。
【図９】第２実施形態に係るＰＯＮ伝送装置の接続切替プログラムを示すブロック図である。
【図１０】第４実施形態に係るＰＯＮ伝送装置の構成を示すブロック図である。
【図１１】従来のＰＯＮ伝送装置の構成を示すブロック図である。
【符号の説明】
【０１３１】
Ｐｓ１，Ｐｓ２，Ｐｓ３，Ｐｓ４  ＰＯＮ伝送装置
１３  上位回線
１５  ＣＨユニット（光通信ユニット）
１５ａ，１５ｂ，１５ｃ，１５ｄ  ＣＨユニット（光通信ユニット）
１７  統計情報収集部（監視手段）
１９  ＰＯＮ通信部
２１  光カプラ（第１段光カプラ）
２３  光切替部（光切替手段）
２５  第２段光カプラ
２５ａ，２５ｂ  第２段光カプラ
２７  ＯＮＴ単体装置（終端装置）
２７ａ，２７ｂ，２７ｃ，２７ｄ  ＯＮＴ単体装置（終端装置）
２９  解析部（接続解析手段）
３１  制御部（制御手段）
３３，３５  光入出力ポート
４３  光切替部（光切替手段）
４３ａ，４３ｂ，４３ｃ，４３ｄ，４３ｅ  光接続経路
【図１】
2006262018.tif 000003
【図２】
2006262018.tif 000004
【図３】
2006262018.tif 000005
【図４】
2006262018.tif 000006
【図５】
2006262018.tif 000007
【図６】
2006262018.tif 000008
【図７】
2006262018.tif 000009
【図８】
2006262018.tif 000010
【図９】
2006262018.tif 000011
【図１０】
2006262018.tif 000012
【図１１】
2006262018.tif 000013